(57)【要約】【課題】録画予約の設定を行うときに、録画完了後のテレビ放送番組（タイトル）の保護を可能とした録画予約装置を提供する。【解決手段】録画予約装置４０は、テレビ放送番組を受信するチューナ４２，４４と、ＩＥＥＥ１３９４バスを接続可能なデジタル接続Ｉ／Ｆ５９と、ＩＥＥＥ１３９４バスを介して接続された録画機器６０への録画をＡＶ／Ｃコマンドによって制御する録画制御手段５６と、録画機器６０への録画予約の設定を行うための録画予約設定手段５５とを備える。録画予約設定手段５５は、録画予約の設定を行うときに、録画完了後のテレビ放送番組を保護するかどうかを設定するための録画予約設定画面をモニタ５２に表示する。【選択図】図４
2007295462.tif 000002
【特許請求の範囲】
【請求項１】
テレビ放送番組を受信する受信手段と、該受信したテレビ放送番組の録画を行う録画手段と、録画予約の設定を行うための録画予約設定手段とを備えた録画予約装置において、
前記録画予約設定手段は、録画予約の設定を行うときに、録画完了後のテレビ放送番組を保護するかどうかを設定可能としたことを特徴とする録画予約装置。
【請求項２】
請求項１に記載の録画予約装置において、
前記録画予約装置は、録画機器であることを特徴とする録画予約装置。
【請求項３】
請求項１又は２に記載の録画予約装置において、
前記録画予約設定手段による設定画面を表示する表示装置を接続可能とし、
前記録画予約設定手段は、前記表示装置により表示される設定画面からのユーザ指示に基づいて、録画完了後のテレビ放送番組を保護するかどうかを設定可能としたことを特徴とする録画予約装置。
【請求項４】
テレビ放送番組を受信する受信手段と、ＩＥＥＥ１３９４バスを接続可能なデジタル接続インタフェースと、前記ＩＥＥＥ１３９４バスを介して接続された録画機器への録画をＡＶ／Ｃコマンドによって制御する録画制御手段と、前記録画機器への録画予約の設定を行うための録画予約設定手段とを備えた録画予約装置において、
前記録画予約設定手段は、録画予約の設定を行うときに、録画完了後のテレビ放送番組を保護するかどうかを設定可能としたことを特徴とする録画予約装置。
【請求項５】
請求項４に記載の録画予約装置において、
前記録画予約装置は、テレビジョン放送受信機であることを特徴とする録画予約装置。
【請求項６】
テレビ放送番組を受信する受信手段と、該受信したテレビ放送番組をデジタルデータとして録画するビデオキャプチャ手段と、録画予約の設定を行うための録画予約設定手段とを備えた録画予約装置において、
前記録画予約設定手段は、録画予約の設定を行うときに、録画完了後のテレビ放送番組を保護するかどうかを設定可能としたことを特徴とする録画予約装置。
【請求項７】
請求項６に記載の録画予約装置において、
前記録画予約装置は、情報処理装置であることを特徴とする録画予約装置。
【請求項８】
請求項４乃至７のいずれか１項に記載の録画予約装置において、
前記録画予約設定手段による設定画面を表示する表示手段を備え、
前記録画予約設定手段は、前記表示手段により表示される設定画面からのユーザ指示に基づいて、録画完了後のテレビ放送番組を保護するかどうかを設定可能としたことを特徴とする録画予約装置。
【請求項９】
請求項１乃至８のいずれか１項に記載の録画予約装置において、
前記録画予約設定手段により保護されたテレビ放送番組に対して削除指示がなされた場合、当該テレビ放送番組を削除できない旨をユーザに通知するための手段を備えていることを特徴とする録画予約装置。
【請求項１０】
テレビ放送番組を受信する受信機能を備えた録画機器と、該録画機器を制御して録画予約を行うテレビジョン放送受信機とを備え、前記録画機器と前記テレビジョン放送受信機とがネットワークを介して接続された録画予約システムにおいて、
前記録画機器あるいは前記テレビジョン放送受信機は、前記録画機器への録画予約の設定を行うための録画予約設定手段を備え、録画予約の設定を行うときに、録画完了後のテレビ放送番組を保護するかどうかを設定可能としたことを特徴とする録画予約システム。
【請求項１１】
請求項１０に記載の録画予約システムにおいて、
前記ネットワークは、ＤＴＣＰ−ＩＰあるいは該ＤＴＣＰ−ＩＰに準じた有線あるいは無線のネットワークであることを特徴とする録画予約システム。
【請求項１２】
請求項１０又は１１に記載の録画予約システムにおいて、
前記テレビジョン放送受信機は、前記録画予約設定手段による設定画面を表示する表示手段を備え、
前記録画予約設定手段は、前記表示手段により表示される設定画面からのユーザ指示に基づいて、録画完了後のテレビ放送番組を保護するかどうかを設定可能としたことを特徴とする録画予約システム。
【請求項１３】
請求項１０乃至１２のいずれか１項に記載の録画予約システムにおいて、
前記テレビジョン放送受信機は、前記録画予約設定手段により保護されたテレビ放送番組に対して削除指示がなされた場合、当該テレビ放送番組を削除できない旨をユーザに通知するための手段を備えていることを特徴とする録画予約システム。
【請求項１４】
請求項１乃至９のいずれか１項に記載の録画予約装置としての機能を実行するためのプログラム。
【発明の詳細な説明】
【技術分野】
【０００１】
本発明は、録画予約装置、システム、及びプログラム、より詳細には、録画予約の設定を行うときに、録画完了後のテレビ放送番組（タイトル）の保護を可能とした録画予約装置、録画予約システム、及びプログラムに関する。
【背景技術】
【０００２】
民生用の録画機器は、現在一般家庭に広く普及しており、ユーザが録画機器を使ってテレビ放送番組（タイトル）を録画したり、録画したタイトルを再生するために用いられている。このような録画機器は、ユーザの設定にしたがって、ユーザが不在の間などに自動的に録画対象の番組を選局し、所定の時間だけ録画動作を行なう、いわゆる録画予約が可能である。
【０００３】
このような録画機器の操作はリモコンとテレビ画面を使ってＯＳＤ（Ｏｎ  Ｓｃｒｅｅｎ  Ｄｉｓｐｌａｙ）表示されたＧＵＩ（Ｇｒａｐｈｉｃａｌ  Ｕｓｅｒ  Ｉｎｔｅｒｆａｃｅ）によって対話的に行なうことが一般的であり、上記録画予約の実行内容の設定もリモコンとテレビ画面を用いて行われる。例えば、ＥＰＧ（電子番組表）などを用いた録画予約方法が知られている（例えば、特許文献１参照）。
【０００４】
上記ＥＰＧを用いて録画予約された場合、当該放送番組の放送開始時刻になると、自動的に選局され、録画機器が制御されて放送番組の放送中に自動的に録画動作が実行される。そして、放送番組の放送が終了した時点で録画動作は停止される。
【０００５】
また、近年、単体のデジタルチューナもしくはテレビに内蔵されたデジタルチューナにＩＥＥＥ１３９４バスで接続した録画機器を用い、デジタルチューナ側もしくはテレビ側で選局したストリームを、ＡＶ／Ｃ  Ｃｏｍｍａｎｄ  Ｔｒａｎｓａｃｔｉｏｎ  Ｓｅｔ（以下ＡＶ／Ｃコマンド）により録画機器をコントロールして録画するものもある。
【０００６】
この場合、所定の時間に録画対象の番組を選局し、録画機器の電源ＯＮ、録画開始、録画停止、録画機器の電源ＯＦＦなどを連続して行なう予約動作はデジタルチューナもしくはテレビが主体となって実行される。
【０００７】
また、パーソナルコンピュータを用いてチューナおよびビデオキャプチャ用のハードウェアをコントロールし、録画、再生などの処理を行なうことも一般的になってきており、この場合、録画予約に必要な一連の動作がアプリケーションプログラムにしたがって実行される。
【０００８】
さらに、ネットワークを介してコンテンツをストリーミング再生するための規格として、ＤＴＣＰ  ｏｖｅｒ  ＩＰ（Ｄｉｇｉｔａｌ  Ｔｒａｎｓｍｉｓｓｉｏｎ  Ｃｏｎｔｅｎｔ  Ｐｒｏｔｅｃｔｉｏｎ  ｏｖｅｒ  ｉｎｔｅｒｎｅｔ  Ｐｒｏｔｏｃｏｌ）が提案されており、この場合も上記の各実施形態と同様に録画予約の動作が可能である。
【０００９】
上述したような録画予約の各実施形態において録画されたタイトルは、近年の録画メディア（例えば、ＤＶＤ，ＨＤＤ，Ｂｌｕ−ｒａｙＤｉｓｃ等）の場合、ユーザの指示によって個別に削除することができ、かつ、誤って削除することのないようにタイトル単位で削除防止のための保護およびその解除を設定することが可能である。
【００１０】
このタイトルの保護機能は、上記のＡＶ／Ｃコマンドを利用する場合、ＡＶ／Ｃコマンドの仕様の中に定められているが、それ以外の他の実施形態においては、録画タイトルの属性として設定／参照が可能で、タイトルを扱うプログラムがタイトルを削除しようとしたときに、保護設定されているかどうかを判定できるものであればよい。
【特許文献１】特開２００４−４８４９５号公報
【発明の開示】
【発明が解決しようとする課題】
【００１１】
一般に、録画中のタイトルは完全な形ではないため、録画進行中に他の処理を受け付けることができない。このため、録画中のタイトルに対する操作は制限され、削除防止のための保護操作は録画済タイトルに対してのみ設定可能な処理となっていることが多い。
【００１２】
また、録画予約開始前にはそもそもタイトル自体が存在しないため、タイトルの保護操作を行なうことができない。
【００１３】
これらの理由により、ユーザが録画予約を設定したタイトルに対して保護操作を行なうことができるのは、予約された録画動作が完了してタイトルに対して自由な操作が行なえるようになった後であるため、ユーザが録画済みタイトルに対して保護操作をうっかり忘れてしまい、例えば未視聴のタイトルや大切なタイトルが誤って消去されるということが起こり得る。
【００１４】
特に、近年になって録画メディアとしてハードディスクを録画に用いることが一般的になってからは、録画可能なタイトルの数が激増し、予約による新しいタイトルの生成や、ユーザによるタイトルの削除を行う際に、一度に大量のタイトルを扱うようになっている。このため、タイトルの保護を事前に行なうことができない状況では保護設定の操作を忘れてしまう可能性が大きく、本来の誤消去防止の役目を果たせなくなってしまう。
【００１５】
本発明は、上述のごとき実情に鑑みてなされたものであり、録画予約の設定を行うときに、録画完了後のテレビ放送番組（タイトル）の保護を可能とした録画予約装置、録画予約システム、及びプログラムを提供すること、を目的とする。
【課題を解決するための手段】
【００１６】
上記課題を解決するために、本発明の第１の技術手段は、テレビ放送番組を受信する受信手段と、該受信したテレビ放送番組の録画を行う録画手段と、録画予約の設定を行うための録画予約設定手段とを備えた録画予約装置において、前記録画予約設定手段は、録画予約の設定を行うときに、録画完了後のテレビ放送番組を保護するかどうかを設定可能としたことを特徴としたものである。
【００１７】
第２の技術手段は、第１の技術手段において、前記録画予約装置は、録画機器であることを特徴としたものである。
【００１８】
第３の技術手段は、第１又は第２の技術手段において、前記録画予約設定手段による設定画面を表示する表示装置を接続可能とし、前記録画予約設定手段は、前記表示装置により表示される設定画面からのユーザ指示に基づいて、録画完了後のテレビ放送番組を保護するかどうかを設定可能としたことを特徴としたものである。
【００１９】
第４の技術手段は、テレビ放送番組を受信する受信手段と、ＩＥＥＥ１３９４バスを接続可能なデジタル接続インタフェースと、前記ＩＥＥＥ１３９４バスを介して接続された録画機器への録画をＡＶ／Ｃコマンドによって制御する録画制御手段と、前記録画機器への録画予約の設定を行うための録画予約設定手段とを備えた録画予約装置において、前記録画予約設定手段は、録画予約の設定を行うときに、録画完了後のテレビ放送番組を保護するかどうかを設定可能としたことを特徴としたものである。
【００２０】
第５の技術手段は、第４の技術手段において、前記録画予約装置は、テレビジョン放送受信機であることを特徴としたものである。
【００２１】
第６の技術手段は、テレビ放送番組を受信する受信手段と、該受信したテレビ放送番組をデジタルデータとして録画するビデオキャプチャ手段と、録画予約の設定を行うための録画予約設定手段とを備えた録画予約装置において、前記録画予約設定手段は、録画予約の設定を行うときに、録画完了後のテレビ放送番組を保護するかどうかを設定可能としたことを特徴としたものである。
【００２２】
第７の技術手段は、第６の技術手段において、前記録画予約装置は、情報処理装置であることを特徴としたものである。
【００２３】
第８の技術手段は、第４乃至第７のいずれか１の技術手段において、前記録画予約設定手段による設定画面を表示する表示手段を備え、前記録画予約設定手段は、前記表示手段により表示される設定画面からのユーザ指示に基づいて、録画完了後のテレビ放送番組を保護するかどうかを設定可能としたことを特徴としたものである。
【００２４】
第９の技術手段は、第１乃至第８のいずれか１の技術手段において、前記録画予約設定手段により保護されたテレビ放送番組に対して削除指示がなされた場合、当該テレビ放送番組を削除できない旨をユーザに通知するための手段を備えていることを特徴としたものである。
【００２５】
第１０の技術手段は、テレビ放送番組を受信する受信機能を備えた録画機器と、該録画機器を制御して録画予約を行うテレビジョン放送受信機とを備え、前記録画機器と前記テレビジョン放送受信機とがネットワークを介して接続された録画予約システムにおいて、前記録画機器あるいは前記テレビジョン放送受信機は、前記録画機器への録画予約の設定を行うための録画予約設定手段を備え、録画予約の設定を行うときに、録画完了後のテレビ放送番組を保護するかどうかを設定可能としたことを特徴としたものである。
【００２６】
第１１の技術手段は、第１０の技術手段において、前記ネットワークは、ＤＴＣＰ−ＩＰあるいは該ＤＴＣＰ−ＩＰに準じた有線あるいは無線のネットワークであることを特徴としたものである。
【００２７】
第１２の技術手段は、第１０又は第１１の技術手段において、前記テレビジョン放送受信機は、前記録画予約設定手段による設定画面を表示する表示手段を備え、前記録画予約設定手段は、前記表示手段により表示される設定画面からのユーザ指示に基づいて、録画完了後のテレビ放送番組を保護するかどうかを設定可能としたことを特徴としたものである。
【００２８】
第１３の技術手段は、第１０乃至第１２のいずれか１の技術手段において、前記テレビジョン放送受信機は、前記録画予約設定手段により保護されたテレビ放送番組に対して削除指示がなされた場合、当該テレビ放送番組を削除できない旨をユーザに通知するための手段を備えていることを特徴としたものである。
【００２９】
第１４の技術手段は、第１乃至第９のいずれか１の技術手段における録画予約装置としての機能を実行するためのプログラムである。
【発明の効果】
【００３０】
本発明によれば、録画予約の設定を行うときに、録画完了後のテレビ放送番組（タイトル）の保護を可能としたため、録画終了を待つことなく録画タイトルの保護設定を行なうことができ、これにより、必要な保護設定の操作忘れを防止して録画タイトルの誤消去を未然に防ぐことができ、利便性が向上する。
【発明を実施するための最良の形態】
【００３１】
本発明に係る録画予約装置は、本体操作部あるいはリモコンによるユーザ指示に従って、テレビ画面に録画予約設定画面を表示し、各設定項目をユーザに選択、設定させる際に、録画後にタイトルを保護するか否かを設定可能とし、これに従って録画動作完了後にタイトルの保護操作を行なうようにしたものである。
【００３２】
以下、添付図面を参照しながら、本発明に係る録画予約装置、システム、及びプログラムの好適な実施形態について説明する。なお、本発明に係る録画予約装置は、テレビ放送番組（以下、しばしばタイトルという）を受信するチューナを備えた録画機器あるいはテレビジョン放送受信機などに適用されるものとする。
【００３３】
（第１の実施形態）
図１は、本発明の第１の実施形態に係る録画予約装置の構成例を示すブロック図で、図中、１０は録画予約装置、３０は表示装置を示す。本実施形態においては、録画予約装置１０は、例えばＤＶＤレコーダ、ＨＤＤレコーダ、ビデオレコーダなどの録画機器（以下、録画機器１０という）であって、表示装置３０は、例えばテレビジョン放送受信機（以下、テレビジョン放送受信機３０という）などである。
【００３４】
録画機器１０は、地上波デジタル放送を受信する地上波アンテナ１１と、地上波アンテナ１１で受信された地上波デジタル放送を選局する地上デジタルチューナ１２と、衛星放送（ＢＳ／ＣＳ放送）を受信する衛星アンテナ１３と、衛星アンテナ１３で受信されたＢＳ／ＣＳ放送を選局するＢＳ／ＣＳチューナ１４と、不揮発性メモリであるフラッシュメモリ１５と、揮発性メモリであるＤＲＡＭ１６と、地上デジタルチューナ１２あるいはＢＳ／ＣＳチューナ１４で選局された多重化データから指定されたチャンネルだけを取り出すＤＥＭＵＸ（デマルチプレクサ）１７と、ＤＥＭＵＸ１７で取り出されたチャンネルの映像信号を復号するＭＰＥＧデコーダ１８と、各部を制御するためのＣＰＵ１９と、ＯＳＤ（Ｏｎ  Ｓｃｒｅｅｎ  Ｄｉｓｐｌａｙ）信号を記憶するＶＲＡＭ２０と、ＭＰＥＧデコーダ１８からの映像信号にＶＲＡＭ２０のＯＳＤ信号を重畳させるＯＳＤ表示制御手段２１と、ＣＰＵ１９に接続された各手段（時間計測手段２２、電源制御手段２３、録画予約設定手段２４、録画手段２５）と、ハードディスクであるＨＤＤ２６と、外部入出力端子等で構成される入出力インタフェース（入出力Ｉ／Ｆ）２７と、を備えて構成される。
【００３５】
録画手段２５は、地上デジタルチューナ１２あるいはＢＳ／ＣＳチューナ１４からのデータ（テレビ放送番組）をＨＤＤ２６に録画する手段であり、録画予約設定手段２４は、録画予約の設定を行うための手段である。この録画予約設定手段２４で設定された録画予約設定情報はフラッシュメモリ１５に記憶される。本発明の主たる特徴部分であるこれらの録画予約設定手段２４及び録画手段２５は、録画予約制御プログラムとしてフラッシュメモリ１５あるいはＨＤＤ２６などの記憶手段に格納され、実行時にＤＲＡＭ１６に読み出されてＣＰＵ１９により実行される。
【００３６】
また、テレビジョン放送受信機３０は、録画機器１０と入出力Ｉ／Ｆ２７を介して接続され、録画機器１０からの映像信号／音声信号をモニタ出力したり、録画予約設定画面などをＯＳＤ表示させて録画機器１０への各種設定を行えるようにしている。また、録画機器１０の操作は、図示しない本体操作部あるいはリモコン３１から直接あるいはテレビジョン放送受信機３０を介して行われる。
【００３７】
図１において、地上波アンテナ１１から受信された地上波デジタル放送電波あるいは衛星アンテナ１３から受信されたＢＳ／ＣＳ放送電波は、それぞれ地上デジタルチューナ１２、ＢＳ／ＣＳチューナ１４により選局され、ＤＥＭＵＸ１７に送られる。ＤＥＭＵＸ１７は多重化されたデータをチャンネルごとに並び替え、ＣＰＵ１９から選局指定されたチャンネルだけを取り出し、映像部分のパケットからなるビデオストリームをＭＰＥＧデコーダ１８に送出する。
【００３８】
操作入力手段であるリモコン３１に設けられたキーが押下されると、ＣＰＵ１９は当該キーに対応した処理を行い、必要に応じてＯＳＤ信号を生成してＶＲＡＭ２０に書き込む。ＯＳＤ表示制御手段２１は、ＭＰＥＧデコーダ１８からの映像信号に、ＶＲＡＭ２０のＯＳＤ信号を重畳し、テレビジョン放送受信機３０に表示させる。
【００３９】
ＤＲＡＭ１６は、録画機器１０の動作中、これらの動作を行なうためのプログラムおよびデータを保持する。また、電源を切って再度起動した時に、以前のプログラムやデータを保持するためにフラッシュメモリ１５が外部記憶として用いられる。
【００４０】
また、録画機器１０は、ＣＰＵ１９とＤＥＭＵＸ１７に接続された入出力Ｉ／Ｆ２７を介してテレビジョン放送受信機３０と接続され、リモコン３１により、録画や再生等のコントロール、タイトルリストの取得、さらには、ＨＤＤ２６に保存されたタイトルの保護／保護解除設定、削除等の操作を行なうことが可能である。
【００４１】
さらに、ＣＰＵ１９に接続された時間計測手段２２と電源制御手段２３を備え、時間計測手段２２から現在時刻を得て、その現在時刻をあらかじめ設定された時間と比較して電源制御手段２３をコントロールすることによって指定の時刻に電源の入／切を行うことができる。
【００４２】
本実施形態においては、テレビジョン放送受信機３０のモニタ上に表示されるＧＵＩに対してリモコン３１による指示を与え、これをＣＰＵ１９で処理した結果をさらにモニタ上に表示することによって、ユーザの操作によってモニタに表示される画像が変化していく。これにより、ユーザが録画機器１０に対して対話的に指示を与えることができる。
【００４３】
また、録画予約の設定は、一般にＥＰＧ（電子番組表）から対話的に行われ、ユーザが指定した番組（タイトル）の開始時刻、終了時刻、サービス、録画保護設定を含むその他の録画設定を録画予約設定情報として録画機器１０がフラッシュメモリ１５に保持する。
【００４４】
上記録画予約設定情報は、録画機器１０の電源が投入された後にフラッシュメモリ１５から読み出されＤＲＡＭ１６上に保持される。また、通常動作中あるいは待機動作中はＤＲＡＭ１６上に保持され続ける。
【００４５】
また、録画予約の実行は、録画機器１０に設定された１つ以上の予約のうちで、開始時刻がもっとも現在時刻に近いタイトルの開始時刻と、時間計測手段２０から得られる現在時刻とを比較することによって行われる。
【００４６】
実際に録画を行うときの動作例について説明する。まず、録画開始時においては、番組開始時刻の直前において該当するサービスに選局動作を行い、録画機器１０の電源を入れ、録画・一時停止状態から録画状態とする。また、録画終了時においては、番組終了時刻に録画機器１０を停止させ、電源を切り、さらにＤＲＡＭ１６およびフラッシュメモリ１５の予約設定を更新あるいは消去する処理を実行する。
【００４７】
図２は、録画予約設定手段２２によりモニタ表示される録画予約設定画面の一例を示す図である。本発明において、図２に示すように、録画予約設定画面のＧＵＩに録画保護ボタンを設け、この録画予約設定画面に対してユーザがリモコン３１を操作することで、録画機器１０が備える録画予約制御プログラム、すなわち録画予約設定手段２２が予約単位で設定／参照する録画保護フラグを設定／解除する処理を実行する。
【００４８】
例えば、ユーザがＥＰＧ（電子番組表）から所望の番組を選択すると、図２に示す録画予約設定画面がモニタ表示される。本例では上段に予約対象番組の情報が表示され、下段に予約に用いる録画機器を選択するボタン、録画終了後にタイトルを保護設定するか否かを選択するボタン、予約設定完了を指示するボタンが表示される。ユーザはリモコン３１でカーソルを移動し、所望のボタンを選択することで、録画予約を設定するときに、録画機器及びタイトル保護設定の有効／無効を選択することができる。
【００４９】
この録画予約設定画面で設定された録画予約の実際の動作においては、ＣＰＵ１９が録画予約時に設定された録画保護フラグを参照し、当該タイトルに録画保護フラグが設定されていれば、録画機器１０が録画終了後にタイトルの保護処理を実行する。
【００５０】
この操作でタイトルの保護設定が行なわれると、録画機器１０に記録された該当タイトルは保護状態となり、タイトルの保護設定解除操作を行なうまでは、タイトルの削除を指示しても、タイトルの削除ができない状態となる。
【００５１】
また、テレビジョン放送受信機３０が録画機器１０からタイトルの情報を取得する際に、タイトル保護の状態を取得できるため、テレビジョン放送受信機３０がタイトル一覧を取得し表示する際に、タイトルが保護されているかどうかを判定するようにしてもよい。この場合、タイトル一覧画面を表示する際に、例えば保護状態にあることを示す鍵付きアイコンを付与する等の表示を行なってユーザに状態を提示するようにしてもよい。
【００５２】
このように、録画機器１０は、テレビジョン放送受信機３０の外部入力端子に接続して使用され、タイトル毎に保護設定が有効かどうかのフラグをユーザ操作によって設定することができる。すなわち、録画機器１０は、録画予約の設定時に、テレビジョン放送受信機３０に録画予約設定画面を表示させて、録画対象のチャンネル、開始時間、終了時間などの設定に加えて、予約単位で録画後にタイトルの保護設定を有効にするか否かを選択させるオプション、すなわち、録画保護フラグを設定することができる。録画機器１０は、所定の録画予約動作をプログラムに従って行なった後に上記録画保護フラグを参照し、保護設定が有効な場合、録画が完了したタイトルに対して保護処理を実行する。
【００５３】
また、録画機器１０は、ユーザによってタイトルの削除が実行されようとしたときに、上記録画保護フラグを参照し、もし保護設定が有効であれば、保護されているために削除できない旨をユーザに通知して削除しないようにしてもよい。この通知処理は、ＣＰＵ１９によって実行され、例えば、図３に示すような通知メッセージをモニタ表示するようにしてもよいし、警告音を発するなど音声を用いて通知するようにしてもよい。
【００５４】
（第２の実施形態）
本実施形態は、地上デジタル放送、ＢＳ／ＣＳ放送を受信する機能を備え、ＩＥＥＥ１３９４Ｉ／Ｆなどのデジタル接続Ｉ／Ｆを持つテレビジョン放送受信機が主体となり、外部の録画機器をコントロールして、録画予約の設定時にタイトル保護を行うかどうかを設定できるようにしたものである。
【００５５】
図４は、本発明の第２の実施形態に係る録画予約装置の構成例を示すブロック図で、図中、４０は録画予約装置、６０は録画機器を示す。本実施形態においては、録画予約装置４０は、例えばテレビジョン放送受信機（以下、テレビジョン放送受信機４０という）などの表示装置であって、録画機器６０は、例えばＤＶＤレコーダ、ＨＤＤレコーダ、ビデオレコーダなどの録画機器である。
【００５６】
テレビジョン放送受信機４０は、地上波デジタル放送を受信する地上波アンテナ４１と、地上波アンテナ４１で受信された地上波デジタル放送を選局する地上デジタルチューナ４２と、衛星放送（ＢＳ／ＣＳ放送）を受信する衛星アンテナ４３と、衛星アンテナ４３で受信されたＢＳ／ＣＳ放送を選局するＢＳ／ＣＳチューナ４４と、不揮発性メモリであるフラッシュメモリ４５と、揮発性メモリであるＤＲＡＭ４６と、地上デジタルチューナ４２あるいはＢＳ／ＣＳチューナ４４で選局された多重化データから指定されたチャンネルだけを取り出すＤＥＭＵＸ４７と、ＤＥＭＵＸ４７で取り出されたチャンネルの映像信号を復号するＭＰＥＧデコーダ４８と、各部を制御するためのＣＰＵ４９と、ＯＳＤ信号を記憶するＶＲＡＭ５０と、ＭＰＥＧデコーダ４８からの映像信号にＶＲＡＭ５０のＯＳＤ信号を重畳させるＯＳＤ表示手段５１と、表示手段であるモニタ５２と、ＣＰＵ４９に接続された各手段（時間計測手段５３、電源制御手段５４、録画予約設定手段５５、録画制御手段５６）と、リモコン５８からの操作信号を受光する受光部５７と、ＩＥＥＥ１３９４に準拠したデジタル接続を行うためのデジタル接続インタフェース（デジタル接続Ｉ／Ｆ）５９と、を備えて構成される。
【００５７】
録画制御手段５６は、地上デジタルチューナ４２あるいはＢＳ／ＣＳチューナ４４からのデータ（テレビ放送番組）を録画機器６０に録画するように制御する手段であり、録画予約設定手段５５は、録画予約の設定を行うための手段である。この録画予約設定手段５５で設定された録画予約設定情報はフラッシュメモリ４５に記憶される。本発明の主たる特徴部分であるこれらの録画予約設定手段５５及び録画制御手段５６は、録画予約制御プログラムとしてフラッシュメモリ４５などの記憶手段に格納され、実行時にＤＲＡＭ４６に読み出されてＣＰＵ４９により実行される。
【００５８】
また、録画機器６０は、テレビジョン放送受信機４０とデジタル接続Ｉ／Ｆ５９を介して接続され、テレビジョン放送受信機４０からＡＶ／Ｃコマンドによってコントロールされる。また、テレビジョン放送受信機４０の操作は、図示しない本体操作部あるいはリモコン５８から受光部５７を介して行われる。
【００５９】
図４において、地上波アンテナ４１から受信された地上波デジタル放送電波あるいは衛星アンテナ４３から受信されたＢＳ／ＣＳ放送電波は、それぞれ地上デジタルチューナ４２、ＢＳ／ＣＳチューナ４４により選局され、ＤＥＭＵＸ４７に送られる。ＤＥＭＵＸ４７は多重化されたデータをチャンネルごとに並び替え、ＣＰＵ４９から選局指定されたチャンネルだけを取り出し、映像部分のパケットからなるビデオストリームをＭＰＥＧデコーダ４８に送出する。
【００６０】
操作入力手段であるリモコン５８に設けられたキーが押下されると、ＣＰＵ４９は当該キーに対応した処理を行い、必要に応じてＯＳＤ信号を生成してＶＲＡＭ５０に書き込む。ＯＳＤ表示手段５１は、ＭＰＥＧデコーダ４８からの映像信号に、ＶＲＡＭ５０のＯＳＤ信号を重畳し、モニタ５２に表示する。
【００６１】
ＤＲＡＭ４６は、テレビジョン放送受信機４０の動作中、これらの動作を行なうためのプログラムおよびデータを保持する。また、電源を切って再度起動した時に、以前のプログラムやデータを保持するためにフラッシュメモリ４５が外部記憶として用いられる。
【００６２】
また、テレビジョン放送受信機４０は、ＣＰＵ４９とＤＥＭＵＸ４７に接続されたデジタル接続Ｉ／Ｆ５９を介して録画機器６０と接続され、リモコン５８からの操作信号に従って、録画機器６０に対してＡＶ／Ｃコマンドを送出する。このＡＶ／Ｃコマンドにより、機器のステータス（電源の入／切、動作状態）の取得、録画や再生等のコントロール、タイトルリストの取得、さらには、録画機器６０に保存されたタイトルの保護／保護解除設定、削除等の操作を行なうことが可能である。
【００６３】
さらに、テレビジョン放送受信機４０は、ＣＰＵ４９に接続された時間計測手段５３と電源制御手段５４を備え、時間計測手段５３から現在時刻を得て、その現在時刻をあらかじめ設定された時間と比較して電源制御手段５４をコントロールすることによって指定の時刻に電源の入／切を行うことができる。
【００６４】
本実施形態においては、テレビジョン放送受信機４０のモニタ５２上に表示されるＧＵＩに対してリモコン５８による指示を与え、これをＣＰＵ４９で処理した結果をさらにモニタ５２上に表示することによって、ユーザの操作によってモニタ５２に表示される画像が変化していく。これにより、ユーザがテレビジョン放送受信機４０に対して対話的に指示を与えることができる。
【００６５】
また、録画予約の設定は、一般にＥＰＧ（電子番組表）から対話的に行われ、ユーザが指定した番組（タイトル）の開始時刻、終了時刻、サービス、録画保護設定を含むその他の録画設定を録画予約設定情報としてテレビジョン放送受信機４０がフラッシュメモリ４５に保持する。
【００６６】
上記録画予約設定情報は、テレビジョン放送受信機４０の電源が投入された後にフラッシュメモリ４５から読み出されＤＲＡＭ４６上に保持される。また、通常動作中あるいは待機動作中はＤＲＡＭ４６上に保持され続ける。
【００６７】
また、録画予約の実行は、テレビジョン放送受信機４０に設定された１つ以上の予約のうちで、開始時刻がもっとも現在時刻に近いタイトルの開始時刻と、時間計測手段５３から得られる現在時刻とを比較することによって行われる。
【００６８】
実際に録画を行うときの動作例について説明する。まず、録画開始時においては、番組開始時刻の直前において該当するサービスに選局動作を行い、録画機器６０の電源を入れ、録画・一時停止状態から録画状態とする。また、録画終了時においては、番組終了時刻に録画機器６０を停止させ、電源を切り、さらにＤＲＡＭ４６およびフラッシュメモリ４５の予約設定を更新あるいは消去する処理を実行する。
【００６９】
前述の図２に示すように、録画予約設定画面のＧＵＩに録画保護ボタンを設け、この録画予約設定画面に対してユーザがリモコン５８を操作することで、テレビジョン放送受信機４０が備える録画予約制御プログラム、すなわち録画予約設定手段５５が予約単位で設定／参照する録画保護フラグを設定／解除する処理を実行する。
【００７０】
第１の実施形態と同様に、例えば、ユーザがＥＰＧ（電子番組表）から所望の番組を選択すると、図２に示した録画予約設定画面がモニタ５２に表示される。ユーザはリモコン５８でカーソルを移動し、所望のボタンを選択することで、録画予約を設定するときに、録画機器及びタイトル保護設定の有効／無効を選択することができる。
【００７１】
この録画予約設定画面で設定された録画予約の実際の動作においては、ＣＰＵ４９が録画予約時に設定された録画保護フラグを参照し、当該タイトルに録画保護フラグが設定されていれば、録画終了後に録画機器６０に対してＡＶ／Ｃコマンドを送出しタイトルの保護処理を実行する。
【００７２】
この操作でタイトルの保護設定が行なわれると、録画機器６０に記録された該当タイトルは保護状態となり、タイトルの保護設定解除操作を行なうまでは、タイトルの削除を指示しても、タイトルの削除ができない状態となる。
【００７３】
また、テレビジョン放送受信機４０が録画機器６０からタイトルの情報を取得する際に、タイトル保護の状態が取得できるため、テレビジョン放送受信機４０がタイトル一覧を取得し表示する際に、タイトルが保護されているかどうかを判定するようにしてもよい。この場合、タイトル一覧画面を表示する際に、例えば保護状態にあることを示す鍵付きアイコンを付する等の表示を行なってユーザに状態を提示するようにしてもよい。
【００７４】
このように、テレビジョン放送受信機とＩＥＥＥ１３９４バスで接続した録画機器をテレビ側のソフトウェアでコントロールする構成としてもよい。テレビ側からは、ＩＥＥＥ１３９４バスを介して録画機器をコントロールすることが可能であり、テレビのリモコンとテレビ画面を用いて外部の録画機器を用いた録画予約の設定が可能となる。
【００７５】
例えば、電子番組表（ＥＰＧ）からの録画予約の設定に際して、録画するチャンネル、開始時刻、終了時刻の設定に加えて、録画後のタイトルを保護するか否かの設定が選択できるようになっている。テレビ側はプログラムにしたがって所定の録画予約動作を行なった後、必要に応じてタイトル保護設定のＡＶ／Ｃコマンドを録画機器に対して送信し、録画が完了したタイトルに対して保護処理を行なうことができる。
【００７６】
また、テレビジョン放送受信機４０は、ユーザによってタイトルの削除が実行されようとしたときに、録画保護フラグを参照し、もし保護設定が有効であれば、保護されているために削除できない旨をユーザに通知して削除しないようにしてもよい。この通知処理は、ＣＰＵ４９によって実行され、例えば、前述の図３に示すような通知メッセージをモニタ表示するようにしてもよいし、警告音を発するなど音声を用いて通知するようにしてもよい。
【００７７】
（第３の実施形態）
本実施形態は、チューナおよびビデオキャプチャのハードウェアをコントロールするパーソナルコンピュータなどの情報処理装置において、アプリケーションプログラムにより、録画予約の設定画面において予約単位でタイトル保護の有効／無効の設定ができるようにしたものである。
【００７８】
図５は、本発明の第３の実施形態に係る録画予約装置の構成例を示すブロック図で、図中、７０は録画予約装置を示す。本実施形態においては、録画予約装置７０は、例えばパーソナルコンピュータなどの情報処理装置（以下、情報処理装置７０という）である。
【００７９】
情報処理装置７０は、不揮発性メモリであるフラッシュメモリ７１と、揮発性メモリであるＤＲＡＭ７２と、デジタルデータとして録画された映像信号をデコードするＭＰＥＧデコーダ７３と、各部を制御するためのＣＰＵ７４と、ＯＳＤ信号を記憶するＶＲＡＭ７５と、ＭＰＥＧデコーダ７３からの映像信号にＶＲＡＭ７５のＯＳＤ信号を重畳させるＯＳＤ表示手段７６と、表示手段であるモニタ７７と、ＣＰＵ７４に接続された各手段（時間計測手段７８、電源制御手段７９、録画予約設定手段８０）と、アナログのテレビ放送を受信するチューナ８１と、チューナ８１で受信したテレビ放送をデジタルデータとして録画するビデオキャプチャ手段８２と、ハードディスクであるＨＤＤ８３と、リモコン８５からの操作信号を受光する受光部８４と、を備えて構成される。
【００８０】
ビデオキャプチャ手段８２は、チューナ８１からのデータ（テレビ放送番組）をデジタルデータとしてＨＤＤ８３に録画するように制御する手段であり、録画予約設定手段８０は、録画予約の設定を行うための手段である。この録画予約設定手段８０で設定された録画予約設定情報はフラッシュメモリ７１に記憶される。本発明の主たる特徴部分であるこの録画予約設定手段８０は、録画予約制御プログラムとしてフラッシュメモリ７１などの記憶手段に格納され、実行時にＤＲＡＭ７２に読み出されてＣＰＵ７４により実行される。
【００８１】
本実施形態では、チューナおよびビデオキャプチャのハードウェアをコントロールする情報処理装置７０のアプリケーションソフトウェア、すなわち、録画予約設定手段８０が、録画予約の設定画面において予約単位でタイトル保護の有効／無効の設定を行う。このアプリケーションソフトウェアである録画予約設定手段８０は、録画予約の一連の動作を行なった後で、該当する予約設定時の録画保護フラグを参照し、その結果に応じて録画したタイトルの保護処理を行なう。
【００８２】
また、アプリケーションソフトウェアが録画済タイトルを削除しようとしたときに、録画タイトルの録画保護フラグを参照し、タイトルが保護されていれば削除できない旨をユーザに通知して削除を行わないようにしてもよい。
【００８３】
このように、第１の実施形態及び第２の実施形態と同様に、ＰＣなどの情報処理装置においても、録画予約の設定を行うときに、録画完了後のテレビ放送番組（タイトル）を保護するかどうかを設定することができる。
【００８４】
（第４の実施形態）
図６は、本発明の第４の実施形態に係る録画予約システムの構成例を示す図である。ここでは、テレビジョン放送受信機４０が、ＤＴＣＰｏｖｅｒＩＰなどのネットワーク１を介して録画機器６０と接続される。
【００８５】
本実施形態の場合、第１の実施形態から第３の実施形態における録画予約設定手段を、テレビジョン放送受信機４０あるいは録画機器６０のいずれか一方に備えるようにし、両機器がＤＴＣＰｏｖｅｒＩＰあるいはＤＴＣＰｏｖｅｒＩＰに準じた有線あるいは無線のネットワーク１を介して接続される。前述した録画予約時におけるタイトル保護の設定処理を、テレビジョン放送受信機４０側で主体的に実行するようにしてもよいし、録画機器６０が主体的に実行するようにしてもよい。
【００８６】
また、テレビジョン放送受信機４０が備えるチューナ機能と表示機能を別々の機器に分けて構成してもよい。この場合、ネットワーク１に接続されたチューナユニット、録画およびストリーミング再生を行なう録画機器を、有線あるいは無線で接続した端末を用いてコントロールし、テレビの視聴およびタイトルの録画、再生を行なうシステムとして構成される。
【００８７】
上記システムにおいても、これまでの実施形態と同様に録画予約設定画面にて録画後のタイトルを保護するか否かを予約単位で設定することができ、予約動作の録画終了後にその設定に従ってタイトルの保護を設定することができる。さらに、タイトルの削除が指示されたときには、録画保護フラグを参照し、タイトルが保護されている場合にはユーザに対して警告表示するなどの通知を行い、タイトルの削除を行わないようにしてもよい。
【００８８】
このように、前述の第１〜第３の実施形態と同様に、ネットワーク接続された機器においても、録画予約の設定を行うときに、録画完了後のテレビ放送番組（タイトル）を保護するかどうかを設定することができる。
【００８９】
以上、本発明の録画予約装置における各機能を中心に各実施形態を説明してきたが、この録画予約機能を有する装置と同様に、コンピュータに録画予約装置として機能させるためのプログラムとしての形態も、また、そのプログラムを記録した記録媒体としての形態も可能である。
【００９０】
本発明による録画予約機能を実現するためのプログラムやデータを記憶した記録媒体の実施形態について説明する。記録媒体としては、具体的には、ＣＤ−ＲＯＭ（−Ｒ／−ＲＷ）、光磁気ディスク、ＤＶＤ−ＲＯＭ（−Ｒ／−ＲＷ／−ＲＡＭ）、ＦＤ、ＨＤ、ＢＤ、フラッシュメモリ、メモリカードや、メモリスティック及びその他各種ＲＯＭやＲＡＭ等が想定でき、これら記録媒体に上述した本発明の各実施形態の録画予約装置としての機能をコンピュータに実行させ、本発明に係る録画予約機能を実現するためのプログラムを記録して流通させることにより、当該機能の実現を容易にする。そしてコンピュータ等の情報処理装置に上記のごとくの記録媒体を装着して情報処理装置によりプログラムを読み出すか、若しくは情報処理装置が備えている記憶媒体に当該プログラムを記憶させておき、必要に応じて読み出すことにより、本発明に関わる録画予約機能を実行することができる。
【００９１】
以上説明したように、本発明によれば、録画予約の設定を行うときに、録画完了後のテレビ放送番組（タイトル）の保護を可能としたため、録画終了を待つことなく録画タイトルの保護設定を行なうことができ、これにより、必要な保護設定操作を忘れることなく録画タイトルの誤消去を未然に防ぐことができ、利便性が向上する。
【図面の簡単な説明】
【００９２】
【図１】本発明の第１の実施形態に係る録画予約装置の構成例を示すブロック図である。
【図２】録画予約設定手段によりモニタ表示される録画予約設定画面の一例を示す図である。
【図３】モニタに表示された通知メッセージの一例を示す図である。
【図４】本発明の第２の実施形態に係る録画予約装置の構成例を示すブロック図である。
【図５】本発明の第３の実施形態に係る録画予約装置の構成例を示すブロック図である。
【図６】本発明の第４の実施形態に係る録画予約システムの構成例を示す図である。
【符号の説明】
【００９３】
１…ネットワーク、１０…録画予約装置（録画機器）、１１，４１…地上波アンテナ、１２，４２…地上デジタルチューナ、１３，４３…衛星アンテナ、１４，４４…ＢＳ／ＣＳチューナ、１５，４５，７１…フラッシュメモリ、１６，４６，７２…ＤＲＡＭ、１７，４７…ＤＥＭＵＸ（デマルチプレクサ）、１８，４８，７３…ＭＰＥＧデコーダ、１９，４９，７４…ＣＰＵ、２０，５０，７５…ＶＲＡＭ、２１…ＯＳＤ表示制御手段、２２，５３，７８…時間計測手段、２３，５４，７９…電源制御手段、２４，５５，８０…録画予約設定手段、２５…録画手段、２６，８３…ＨＤＤ、２７…入出力Ｉ／Ｆ、３０…表示装置（テレビジョン放送受信機）、３１，５８，８５…リモコン、４０…録画予約装置（テレビジョン放送受信機）、５１，７６…ＯＳＤ表示手段、５２，７７…モニタ、５６…録画制御手段、５７，８４…受光部、５９…デジタル接続インタフェース、６０…録画装置、７０…情報処理装置、８１…チューナ、８２…ビデオキャプチャ手段。
【図１】
2007295462.tif 000003
【図２】
2007295462.tif 000004
【図３】
2007295462.tif 000005
【図４】
2007295462.tif 000006
【図５】
2007295462.tif 000007
【図６】
2007295462.tif 000008